【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
ドキュメント上の複数のデータ領域に流し込まれるコンテンツデータに応じてドキュメントを生成する情報処理装置であって、
前記ドキュメント上にある基準サイズのデータ領域に対して流し込まれる前記コンテンツデータに基づいて前記データ領域のレイアウトを制御する制御手段と、
前記制御手段により制御された前記データ領域のレイアウトを表示する表示手段と、を備え、
前記表示手段は、更に、所定の指示に応じて前記制御手段により制御される前の前記基準サイズのデータ領域を表示することを特徴とする情報処理装置。
【請求項２】
前記表示手段は、前記制御手段により制御される前後の前記データ領域のサイズの変化を表示することを特徴とする請求項１に記載の情報処理装置。
【請求項３】
前記表示手段は、前記制御手段により制御される前後の前記データ領域内のコンテンツデータのフォントサイズの変化を表示することを特徴とする請求項１または２に記載の情報処理装置。
【請求項４】
前記制御手段は、前記複数のデータ領域を関連付けるリンクを用いて該複数のデータ領域のレイアウトを制御し、前記表示手段は、該複数のデータ領域のうち、所定のデータ領域と前記リンクにより関連付けられたデータ領域について前記レイアウトの変化を表示することを特徴とする請求項１乃至３のいずれかに記載の情報処理装置。
【請求項５】
前記表示手段は、前記複数のデータ領域のうち、所定のデータ領域のレイアウトの変化に影響を与えたデータ領域のレイアウトの変化を表示することを特徴とする請求項１乃至４のいずれかに記載の情報処理装置。
【請求項６】
前記表示手段は、ユーザからの指示に基づいて、前記流し込まれるコンテンツデータを非表示とすることを特徴とする請求項１乃至５のいずれかに記載の情報処理装置。
【請求項７】
ドキュメント上の複数のデータ領域に流し込まれるコンテンツデータに応じてドキュメントを生成する情報処理装置における情報処理方法であって、
前記ドキュメント上にある基準サイズのデータ領域に対して流し込まれる前記コンテンツデータに基づいて前記データ領域のレイアウトを制御する制御工程と、
前記制御工程により制御された前記データ領域のレイアウトを表示する表示工程と、を備え、
前記表示工程は、更に、所定の指示に応じて前記制御工程により制御される前の前記基準サイズのデータ領域を表示することを特徴とする情報処理方法。
【請求項８】
前記表示工程は、前記制御工程により制御される前後の前記データ領域のサイズの変化を表示することを特徴とする請求項７に記載の情報処理方法。
【請求項９】
前記表示工程は、前記制御工程により制御される前後の前記データ領域内のコンテンツデータのフォントサイズの変化を表示することを特徴とする請求項７または８に記載の情報処理方法。
【請求項１０】
前記制御工程は、前記複数のデータ領域を関連付けるリンクを用いて該複数のデータ領域のレイアウトを制御し、前記表示工程は、該複数のデータ領域のうち、所定のデータ領域と前記リンクにより関連付けられたデータ領域について前記レイアウトの変化を表示することを特徴とする請求項７乃至９のいずれかに記載の情報処理方法。
【請求項１１】
前記表示工程は、前記複数のデータ領域のうち、所定のデータ領域のレイアウトの変化に影響を与えたデータ領域のレイアウトの変化を表示することを特徴とする請求項７乃至１０のいずれかに記載の情報処理方法。
【請求項１２】
前記表示工程は、ユーザからの指示に基づいて、前記流し込まれるコンテンツデータを非表示とすることを特徴とする請求項７乃至１１のいずれかに記載の情報処理方法。
【請求項１３】
ドキュメント上の複数のオブジェクトにデータを流し込むことによりドキュメントを生成するための情報処理方法をコンピュータに実行させるプログラムであって、前記情報処理方法が、
前記ドキュメント上にある基準サイズのデータ領域に対して流し込まれる前記コンテンツデータに基づいて前記データ領域のレイアウトを制御する制御工程と、
前記制御工程により制御された前記データ領域のレイアウトを表示する表示工程と、を備え、
前記表示工程は、更に、所定の指示に応じて前記制御工程により制御される前の前記基準サイズのデータ領域を表示することを特徴とするプログラム。
【請求項１４】
前記表示工程は、前記制御工程により制御される前後の前記データ領域のサイズの変化を表示することを特徴とする請求項１３に記載のプログラム。
【請求項１５】
前記表示工程は、前記制御工程により制御される前後の前記データ領域内のコンテンツデータのフォントサイズの変化を表示することを特徴とする請求項１３または１４に記載のプログラム。
【請求項１６】
前記制御工程は、前記複数のデータ領域を関連付けるリンクを用いて該複数のデータ領域のレイアウトを制御し、前記表示工程は、該複数のデータ領域のうち、所定のデータ領域と前記リンクにより関連付けられたデータ領域について前記レイアウトの変化を表示することを特徴とする請求項１３乃至１５のいずれかに記載のプログラム。
【請求項１７】
前記表示工程は、前記複数のデータ領域のうち、所定のデータ領域のレイアウトの変化に影響を与えたデータ領域のレイアウトの変化を表示することを特徴とする請求項１３乃至１６のいずれかに記載のプログラム。
【請求項１８】
前記表示工程は、ユーザからの指示に基づいて、前記流し込まれるコンテンツデータを非表示とすることを特徴とする請求項１３乃至１７のいずれかに記載のプログラム。
【請求項１９】
ドキュメント上の複数のデータ領域に流し込まれるコンテンツデータに応じてドキュメントを生成する情報処理装置であって、
前記ドキュメント上にある基準サイズのデータ領域に対して流し込まれる前記コンテンツデータに基づいて前記データ領域のレイアウトを制御する制御手段と、
前記制御手段により制御された前記データ領域のレイアウトを表示する表示手段と、を備え、
前記表示手段は、前記複数のデータ領域のうち、所定のデータ領域のレイアウトの変化に影響を与えたデータ領域を識別可能に表示することを特徴とする情報処理装置。
【請求項２０】
ドキュメント上の複数のデータ領域に流し込まれるコンテンツデータに応じてドキュメントを生成する情報処理装置における情報処理方法であって、
前記ドキュメント上にある基準サイズのデータ領域に対して流し込まれる前記コンテンツデータに基づいて前記データ領域のレイアウトを制御する制御工程と、
前記制御工程により制御された前記データ領域のレイアウトを表示する表示工程と、を備え、
前記表示工程は、前記複数のデータ領域のうち、所定のデータ領域のレイアウトの変化に影響を与えたデータ領域を識別可能に表示することを特徴とする情報処理方法。
【請求項２１】
ドキュメント上の複数のデータ領域に流し込まれるコンテンツデータに応じてドキュメントを生成するための情報処理方法をコンピュータに実行させるプログラムであって、前記情報処理方法が、
前記ドキュメント上にある基準サイズのデータ領域に対して流し込まれる前記コンテンツデータに基づいて前記データ領域のレイアウトを制御する制御工程と、
前記制御工程により制御された前記データ領域のレイアウトを表示する表示工程と、を備え、
前記表示工程は、前記複数のデータ領域のうち、所定のデータ領域のレイアウトの変化に影響を与えたデータ領域を識別可能に表示することを特徴とするプログラム。